(57)【要約】【課題】目的・用途・需要に応じて自由に大きさを変えることができるコンテナハウスを提供する。【解決手段】コンテナハウス（１）は、下段コンテナ（２ａ，２ｂ）と上段コンテナ（３ａ、３ｂ）とを含む第１及び第２のコンテナモジュール（４ａ、４ｂ）を有する。コンテナハウス（１）はまた、並列に配置された第１と第２のコンテナモジュール（４ａ，４ｂ）の間に配置されるデッキユニット（５）と、デッキユニット（５）に昇るための階段ユニット（８）と、上段コンテナ（３ａ，３ｂ）と階段ユニット（８）との連結部を除き、デッキ（５）の周縁に取り付けられる手摺ユニット（９）と、並列に配置された第１と第２の上段コンテナ（３ａ，３ｂ）をそれらの上端部において連結する連結ユニット（１０）とを備えており、各コンテナ（２ａ，２ｂ，３ａ，３ｂ）及び各ユニット（５，９，１０）は他のコンテナ及びユニットと着脱可能に構成されている。【選択図】図１
2004011304.tif 000002
【特許請求の範囲】
【請求項１】
内部に一つ又は複数の部屋（１２）を有する箱型のコンテナ（２ａ，２ｂ，３ａ，３ｂ）を組み立てたコンテナハウス（１）であって、
下段コンテナ（２ａ）と該下段コンテナ（２ａ）に載せる上段コンテナ（３ａ）とを含む第１のコンテナモジュール（４ａ）と、
第１のコンテナモジュール（４ａ）と同様に下段コンテナ（２ｂ）と上段コンテナ（３ｂ）とを含み、第１のコンテナモジュール（４ａ）と並列に配置される第２のコンテナモジュール（４ｂ）と、
並列に配置された第１と第２のコンテナモジュール（４ａ，４ｂ）の間に配置されるデッキユニット（５）と、
デッキユニット（５）に昇るための階段ユニット（８）と、
上段コンテナ（３ａ，３ｂ）と階段ユニット（８）との連結部を除き、デッキユニット（５）の周縁に取り付けられる手摺ユニット（９）と、
並列に配置された第１と第２の上段コンテナ（３ａ，３ｂ）をそれらの上端部において連結する連結ユニット（１０）とを備え、
各コンテナ（２ａ，２ｂ，３ａ，３ｂ）及び各ユニット（５，９，１０）は他のコンテナ及びユニットと着脱可能に構成されていることを特徴とするコンテナハウス。
【請求項２】
内部に一つ又は複数の部屋（１２）を有する複数の箱型コンテナ（２ａ，３ａ）を所定の方向に連結すると共に上下に連結して構成された第１のコンテナモジュール（４ａ）と、
第１のコンテナモジュール（４ａ）と同様に、内部に一つ又は複数の部屋を有する複数の箱型コンテナ（２ｂ，３ｂ）を所定の方向に連結すると共に上下に連結して構成され、第１のコンテナモジュールと並列に対向して配置される第２のコンテナモジュール（４ａ）と、
第１のコンテナモジュール（４ａ）と第２のコンテナモジュール（４ｂ）に含まれると下段コンテナ（２ａ，２ｂ）の上端に架け渡されると共に階段連結用の開口部（６）が形成されたデッキユニット（５）と、
デッキユニット（５）の階段連結用開口部（６）に設けられた階段ユニット（８）とを備えたことを特徴とするコンテナハウス。
【請求項３】
各コンテナ（２ａ，２ｂ，３ａ，３ｂ）は、各部屋（１２）に対応する扉（１３）が設けてあることを特徴とする請求項１又は２のいずれか一に記載のコンテナハウス。
【発明の詳細な説明】
【０００１】
【発明の属する技術分野】
本発明は、複数の箱型コンテナを組み立てて構成されるコンテナハウスに関する。
【０００２】
【発明の背景】
従来より、任意の大きさの空地に所望の容積を持つ倉庫等を簡易に組み立てることができる建物が必要とされていた。
【０００３】
【発明の構成】
本発明は係る要請に基づいてなされたもので、コンテナハウス（１）は、内部に一つ又は複数の部屋（１２）を有する箱型のコンテナ（２ａ，２ｂ，３ａ，３ｂ）を組み立てて構成されている。このコンテナハウス（１）は、下段コンテナ（２ａ）と該下段コンテナ（２ａ）に載せる上段コンテナ（３ａ）とを含む第１のコンテナモジュール（４ａ）と、第１のコンテナモジュール（４ａ）と同様に下段コンテナ（２ｂ）と上段コンテナ（３ｂ）とを含み、第１のコンテナモジュール（４ａ）と並列に配置される第２のコンテナモジュール（４ｂ）を有する。コンテナハウス（１）はまた、並列に配置された第１と第２のコンテナモジュール（４ａ，４ｂ）の間に配置されるデッキユニット（５）と、デッキユニット（５）に昇るための階段ユニット（８）と、上段コンテナ（３ａ，３ｂ）と階段ユニット（８）との連結部を除き、デッキユニット（５）の周縁に取り付けられる手摺ユニット（９）と、並列に配置された第１と第２の上段コンテナ（３ａ，３ｂ）をそれらの上端部において連結する連結ユニット（１０）とを備えており、各コンテナ（２ａ，２ｂ，３ａ，３ｂ）及び各ユニット（５，９，１０）は他のコンテナ及びユニットと着脱可能に構成されている。
【０００４】
本発明の他の形態のコンテナハウス（１）は、内部に一つ又は複数の部屋（１２）を有する複数の箱型コンテナ（２ａ，３ａ）を所定の方向に連結すると共に上下に連結して構成された第１のコンテナモジュール（４ａ）と、第１のコンテナモジュール（４ａ）と同様に、内部に一つ又は複数の部屋を有する複数の箱型コンテナ（２ｂ，３ｂ）を所定の方向に連結すると共に上下に連結して構成され、第１のコンテナモジュールと並列に対向して配置される第２のコンテナモジュール（４ａ）を有する。コンテナハウス（１）はまた、第１のコンテナモジュール（４ａ）と第２のコンテナモジュール（４ｂ）に含まれると下段コンテナ（２ａ，２ｂ）の上端に架け渡されると共に階段連結用の開口部（６）が形成されたデッキユニット（５）と、デッキユニット（５）の階段連結用開口部（６）に設けられた階段ユニット（８）とを備えている。
【０００５】
これらコンテナハウス（１）において、各コンテナ（２ａ，２ｂ，３ａ，３ｂ）は、各部屋（１２）に対応する扉（１３）を設けることが好ましい。
【０００６】
【発明の実施の形態】
以下、添付図面を参照して本発明に係るコンテナハウスの具体的な実施の形態を説明する。まず、図１〜図４に示すように、本発明に係るコンテナハウス１は複数の箱型長方形のコンテナを組み立てて構成されている。本実施の形態において、コンテナハウス１は４つのコンテナ２ａ，２ｂ、３ａ，３ｂを備えており、２つのコンテナ２ａ，２ｂの上にそれぞれ別のコンテナ３ａ，３ｂを積載し、四隅において上下のコンテナ２ａと３ａ、２ｂと３ｂがボルト（図示せず）で分離可能に連結されている。
【０００７】
上下に組み合わされたコンテナ２ａと３ａからなる第１のコンテナモジュール４ａと、同様に上下に組み合わされたコンテナ２ｂと３ｂからなる第２のコンテナモジュール４ｂは、例えばコンテナの短辺幅と同一の間隔をあけて、並列に設置されている。対向する２つの上段コンテナ３ａ、３ｂにアクセスできるようにするために、下段コンテナ２ａ，２ｂのほぼ上端の高さに、長方形デッキ（デッキユニット）５が組み付けられる。このデッキ５は、図２に示すように後述する階段を設けるための開口部６が形成されており、図７に示すように、コンテナ２ａと３ａ、２ｂと３ｂに対向する上端外周フランジ部分７を、下段コンテナ２ａ、２ｂと上段コンテナ３ａ、３ｂの隙間に挿入すると共に下段コンテナ２ａ，２ｂの上端縁部に架け渡して組み立てられている。当然のことであるが、デッキ５の安定を図るために、ボルトを用いてデッキ５を下段コンテナ２ａ，２ｂ又は上段コンテナ３ａ，３ｂ若しくは上段と下段のコンテナに連結するのが好ましい。
【０００８】
下段コンテナ２ａ，２ｂの下端レベル（地上）からデッキ５に昇るために、またデッキ５から地上に降りるために、デッキ開口部６に対応する個所には、階段（階段ユニット）８が組み付けてある。この階段８は、ボルト（図示せず）を用いてデッキ５に連結される。また、デッキ５及び階段８からの転落を防止するために、デッキ５の開放端部（すなわち、デッキ５において上段コンテナ３ａ，３ｂに対向する部分と階段８との連結部分を除く部分）と、階段８の開放部分には、手摺（手摺ユニット）９がボルト等の連結手段を用いて着脱可能に取り付けられる。
【０００９】
図１に示すように、デッキ５を挟んで対向する２つの上段コンテナ３ａ，３ｂは、ターンバックルなどの連結部材（連結ユニット）１０によってそれらの上端部（例えば、長手方向両端部）が連結されて一体化されている。
【００１０】
図５および図６に示すように、４つのコンテナ２ａ，２ｂ、３ａ，３ｂの内部は一つ又は複数の仕切壁１１によって複数の部屋１２に区画されており、各部屋１２に個別の扉１３が設けてある。各部屋の扉１３は、回転ドア式の扉、引き戸式の扉、昇降式のシャッタのいずれであってもよい。なお、部屋割りや扉の配置は、部屋への出入や扉の開閉に支障がないように決める。また、部屋割りや扉の配置に支障が生じない位置に、デッキ開口部６を設ける。
【００１１】
以上の構成からなるコンテナハウス１は、コンテナ２ａ，２ｂ、３ａ，３ｂ及び付属ユニット（デッキ５、階段８、手摺９、連結部材１０）を現地に運搬し、そこで上述のようにしてボルト等の連結具を用いて組み立てる。また、不要になれば、連結具を取り外して個々のユニットに分解して別の場所に移動することができる。
【００１２】
また、図８に示すように、複数のコンテナハウス１を組み合わせることで大型のコンテナハウス１’を作ることができる。この場合、特に図８（ｂ）に示すように、中間部分の下段コンテナを取り外してそこに通路等の空地１４を形成してもよい。さらに、以上の説明ではコンテナを上下二段積み重ねたが、段数に制限はなく、３段又は４段のコンテナハウスを作ることもでき、その際には必要に応じて付属ユニットを組み付ければよい。
【００１３】
【発明の効果】
以上の説明から明らかなように、本発明に係るコンテナハウスは、目的・用途・需要に応じて自由に大きさを変えることができる。
【図面の簡単な説明】
【図１】本発明に係るコンテナハウスの正面図。
【図２】図１に示すコンテナハウスの平面図。
【図３】図１のＩＩＩ−ＩＩＩ線断面図。
【図４】図１のＩＶ−ＩＶ線断面図。
【図５】図１のＶ−Ｖ線断面図。
【図６】図１のＶＩ−ＶＩ線断面図。
【図７】デッキの取り付け部分を示す図。
【図８】他の形態のコンテナハウスを示す正面図及び側面図。
【符号の説明】
１，１’：コンテナハウス
２ａ，２ｂ、３ａ，３ｂ：コンテナ
４ａ：第１のコンテナモジュール
４ｂ：第２のコンテナモジュール
５：デッキ（デッキユニット）
６：階段連結用開口部
８：階段（階段ユニット）
９：手摺（手摺ユニット）
１０：連結部材（連結ユニット）
１１：仕切壁
１２：部屋
１３：扉
【図１】
2004011304.tif 000003
【図２】
2004011304.tif 000004
【図３】
2004011304.tif 000005
【図４】
2004011304.tif 000006
【図５】
2004011304.tif 000007
【図６】
2004011304.tif 000008
【図７】
2004011304.tif 000009
【図８】
2004011304.tif 000010